(57)【要約】【課題】樹脂製の容器底部と金属製の容器底カバーとの隙間への調理物の侵入を防止する電動調理器を提供する。【解決手段】本体３上に載置され本体３内の電動機５で回転駆動されるカッター６を備えた調理容器７を有し、調理容器７は、中央に開口部９ａを有する容器底部９および本体３と嵌合する容器基台部１０を一体に形成した樹脂製の容器１１と、カッター６を支持するカッター取付台１２と、金属製の容器底カバー１３からなり、容器底部９をカッター取付台１２と上側の容器底カバー１３で挟持すると共に、容器底カバー１３と容器底部９の間にパッキン１４を介在させたもので、調理容器７は軽量で、持ち易くしかも安価で、カッター６の周辺は、容器底カバー１３により調理物で傷がつくことがなく、さらに、容器底カバー１３と容器底部９との隙間への調理物の侵入を確実に防止することができる。【選択図】図１
2006263277.tif 000002
【特許請求の範囲】
【請求項１】
電動機を内蔵する本体と、前記本体上に載置され前記電動機により回転駆動されるカッターを備えた調理容器を有し、前記調理容器は、中央に開口部を有する容器底部および前記本体と嵌合する容器基台部を一体に形成した樹脂製の容器と、前記カッターを回転自在に支持するカッター取付台と、金属製の容器底カバーからなり、前記容器底部を下側からの前記カッター取付台と上側からの前記容器底カバーで挟持すると共に、前記容器底カバーと前記容器底部の間にシール材を介在させた電動調理器。
【請求項２】
シール材をパッキンで形成した請求項１に記載の電動調理器。
【請求項３】
容器底部に容器底カバーを収納する凹部を設けると共に、パッキンを、前記凹部と容器底カバーの側面間及び平面間に介在させた請求項２に記載の電動調理器。
【請求項４】
凹部の内側面およびパッキンの外側面を傾斜させた請求項３に記載の電動調理器。
【発明の詳細な説明】
【技術分野】
【０００１】
本発明は、電動調理器に関するもので、特に、一部の表面が金属で補強された樹脂製の容器を有する電動調理器に関するものである。
【背景技術】
【０００２】
従来の、ミキサーなど固い調理材料を粉砕するような電動調理器においては、調理材料を収納する樹脂製の容器の表面を部分的に金属製のカバーで覆うように構成している（例えば、特許文献１参照）。
【０００３】
図４は、上記特許文献１に記載された従来の電動調理器の要部断面図を示すもので、１は、電動調理器本体３に載置され、中央に高速で回転するカッター６を有する樹脂製の容器で、その容器１の底面に金属製のカバー２をネジ１ａで固着して、容器１の底面を部分的に覆って、固い調理物による容器１の傷つきを防止するようにしている。
【特許文献１】特開平１１−３４６９３８号公報
【発明の開示】
【発明が解決しようとする課題】
【０００４】
しかしながら、前記従来の電動調理器の構成では、容器１とカバー２との隙間に調理物が侵入しやすいという課題を有していた。
【０００５】
本発明は、前記従来の課題を解決するもので、容器とカバーとの隙間に調理物が侵入しにくい調理容器を有する電動調理器を提供することを目的とする。
【課題を解決するための手段】
【０００６】
前記従来の課題を解決するために、本発明の電動調理器は、電動機を内蔵する本体と、前記本体上に載置され前記電動機により回転駆動されるカッターを備えた調理容器を有し、前記調理容器は、中央に開口部を有する容器底部および前記本体と嵌合する容器基台部を一体に形成した樹脂製の容器と、前記カッターを回転自在に支持するカッター取付台と、金属製の容器底カバーからなり、前記容器底部を下側からの前記カッター取付台と上側からの前記容器底カバーで挟持すると共に、前記容器底カバーと前記容器底部の間にシール材を介在させたもので、軽量で持ちやすく安価な調理容器が得られ、カッター周辺は、金属製の容器底カバーにより硬い調理物で傷がつくことがなく、さらに、シール材により容器底カバーと容器底部との隙間への調理物の侵入を確実に防止することができる。
【発明の効果】
【０００７】
本発明の電動調理器は、調理物で傷つきやすいカッター周辺を金属の容器底カバーで覆うため容器の大部分は軽量で持ちやすく安価な樹脂で構成でき、また容器底カバーと容器底部との隙間に調理物が侵入しにくくすることができる。
【発明を実施するための最良の形態】
【０００８】
第１の発明は、電動機を内蔵する本体と、前記本体上に載置され前記電動機により回転駆動されるカッターを備えた調理容器を有し、前記調理容器は、中央に開口部を有する容器底部および前記本体と嵌合する容器基台部を一体に形成した樹脂製の容器と、前記カッターを回転自在に支持するカッター取付台と、金属製の容器底カバーからなり、前記容器底部を下側からの前記カッター取付台と上側からの前記容器底カバーで挟持すると共に、前記容器底カバーと前記容器底部の間にシール材を介在させたもので、軽量で持ちやすく安価な調理容器が得られ、カッター周辺は、金属製の容器底カバーにより硬い調理物で傷がつくことがなく、さらに、シール材により容器底カバーと容器底部との隙間への調理物の侵入を確実に防止することができる。
【０００９】
第２の発明は、特に、第１の発明のシール材をパッキンで形成したもので、接着剤などで、容器底カバーと容器底部との隙間をシールするよりも、組立が極めて容易である。
【００１０】
第３の発明は、特に、第２の発明の容器底部に容器底カバーを収納する凹部を設けると共に、パッキンを、前記凹部と容器底カバーの側面間及び平面間に介在させたもので、容器底カバーの端面に手や指が触れることが無いので、取り扱いが容易であり、また、凹部と容器底カバーの側面間にも調理物が侵入しないようにすることができる。
【００１１】
第４の発明は、特に、第３の発明の凹部の内側面およびパッキンの外側面を傾斜させた、もので、パッキンを上下方向に締め付けることにより、径方向にも圧接させることができ、これによって容器底部に設けた凹部と容器底カバーの側面間および平面間の両方とも確実にシールすることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における電動調理器の要部断面図である。
【００１４】
図１において、３は電動調理器の本体で、上部に駆動コネクタ４を備えた電動機５を内蔵している。本体３の上には、回転自在のカッター６を備えた調理容器７が着脱自在に載置されている。カッター６の下部には、従動コネクタ８が設けられており、従動コネクタ８と駆動コネクタ４とが係合して、カッター６を回転駆動するようにしている。
【００１５】
調理容器７は、中央に開口部９ａを有する容器底部９および本体３と嵌合する容器基台部１０を一体に形成した樹脂製の容器１１と、カッター６を回転自在に支持するカッター取付台１２と、金属製の容器底カバー１３から構成されており、容器底部９を、下側からのカッター取付台１２と、上側からの容器底カバー１３で挟持するように、ボルト１３ａとナット１３ｂとで固着している。また、容器底カバー１３と容器底部９の間には、シール材としてのパッキン１４を入れてシールしている。
【００１６】
本実施の形態においては、調理容器７の大部分を占める容器１１と容器基台部１０を、ガラスや金属製のものに比べ軽量で持ちやすく安価な樹脂で形成しており、固い調理物により傷つきやすいカッター６の周囲だけ金属製の容器底カバー１３で保護しており、さらにカッター６を支持しカッター６の回転による発熱の影響を受けるカッター取付台１２を別部材で構成していることから、この部分のみ適宜耐熱樹脂や金属で構成でき、又組立の容易なパッキン１４により、容器底カバー１３と容器底部９との隙間への調理物の侵入を確実に防止することができるものである。
【００１７】
（実施の形態２）
図２は、本発明の第２の実施の形態における電動調理器の要部断面図である。なお、上記第１の実施の形態における電動調理器と同一部分については、同一符号を付してその説明を省略する。
【００１８】
本実施の形態は、図２に示すように、調理容器１１の容器底部９に容器底カバー１３を収める凹部９ｂを設け、パッキン１４を、凹部９ｂと容器底カバー１３の側面間及び平面間に介在させるもので、そのためにパッキン１４の断面形状を、凹部９ｂの側面と容器底カバー１３の側面との間および、凹部９ｂの底面と容器底カバー１３の裏面との間の両方のシールができるように、略Ｌ字形に形成されている。その他の構成は、上記第１の実施の形態と同じであり、説明を省略する。
【００１９】
本実施の形態によれば、第１の実施の形態と同様に、調理容器１１の大部分を軽量で持ちやすく安価な樹脂で構成でき、しかも、取り扱い時に容器底カバー１３の端面に手が触れることが無く、さらに、組立の容易なパッキン１４により容器底カバー１３と容器底部９の側面間および平面間の両方の隙間への調理物の侵入を確実に防止することができるものである。
【００２０】
（実施の形態３）
図３は、本発明の第３の実施の形態における電動調理器の要部断面図である。なお、上記実施の形態における電動調理器と同一部分については、同一符号を付してその説明を省略する。
【００２１】
本実施の形態は、調理容器１１と容器底部９との間に配されるパッキン２０の外側面を下方に向かって径小になるように傾斜させ、かつ、容器底部９に設けられパッキン２０が収納される凹部９ｂの内側面を、パッキン２０の傾斜した外側面に合うように傾斜させたもので、その他の構成は第２の実施の形態と同じであり、同じ符号を付してその説明は省略する。
【００２２】
本実施の形態によれば、パッキン２０を上下方向に締め付けることにより径方向にも圧接させることができ、これによって容器底部９の凹部９ｂと容器底カバー１３との側面間および平面間の両方とも確実にシールすることができるようになる。
【産業上の利用可能性】
【００２３】
以上のように本発明にかかる電動調理器は、調理物で傷つきやすいカッター周辺を金属の容器底カバーで覆うため、容器の大部分は軽量で持ちやすく安価な樹脂で構成でき、又、シール材により容器底カバーと容器底部の隙間に調理物が侵入しにくくなるので、液体や粉体を攪拌又は粉砕する容器を有する各種電動調理器や攪拌装置に利用できる。
【図面の簡単な説明】
【００２４】
【図１】本発明の実施の形態１における電動調理器の要部断面図
【図２】本発明の実施の形態２における電動調理器の要部断面図
【図３】本発明の実施の形態３における電動調理器の要部断面図
【図４】従来の電動調理器の要部断面図
【符号の説明】
【００２５】
３  本体
５  電動機
６  カッター
７  調理容器
９  容器底部
９ａ  開口部
９ｂ  凹部
１０  容器基台部
１１  容器
１２  カッター取付台
１３  容器底カバー
１４、２０  パッキン
【図１】
2006263277.tif 000003
【図２】
2006263277.tif 000004
【図３】
2006263277.tif 000005
【図４】
2006263277.tif 000006